(57)【要約】【課題】いろいろなりんが提供されているが、いずれもりん本体を支持する、支持部が必ず必要であり、面白さに欠けていた。接触することによる擦れや、エネルギー消耗が必ず起こり、もっと、効率のよいりんが求められていた。また、パフォーマンス的にもあまり面白みがなかった。【解決手段】リン本体１が浮遊することを特徴とするりんとした。手段として、磁力を用いてリン本体１を浮遊させることを特徴としたりんや、空気の圧力を用いてリン本体を浮遊させることを特徴としたりんである。リン本体１にバランサー２を用いたりんにすると、揺らぎがうまく制御できるため便利である。中央部、垂直方向に用いると便利で、バランスがとりやすい。【選択図】  図１
2014147852.tif 000002
【特許請求の範囲】
【請求項１】
磁力を用いてりん本体を浮遊するりんにおいて、
糸やゴムなどのひもを固定台に繋げて、ひも付きの風船のように、浮上させることを特徴とするりん。
【請求項２】
前記りん本体に、りん本体バランサーを用いたことを特徴とする請求項１記載のりん。
【発明の詳細な説明】
【技術分野】
【０００１】
本発明はりんに関するものである。
【背景技術】
【０００２】
従来の技術においては、特開２００６−１３０３０５にみられるように、ばねを用いたり、揺動可能な支持をしていたりしていたものがあり、音の減衰を可能な限り軽減していた。
【先行技術文献】
【特許文献】
【０００３】
【特許文献１】特開２００６−１３０３０５号公報
【発明の概要】
【発明が解決しようとする課題】
【０００４】
しかしながら、支持部が必ず必要であり、面白さに欠けていた。接触することによる擦れや、エネルギー消耗が必ず起こり、もっと、効率のよいりんが求められていた。また、パフォーマンス的にもあまり面白みがなかった。
【課題を解決するための手段】
【０００５】
りん本体が浮遊することを特徴とするりんとした。
手段として、磁力を用いてりん本体を浮遊させることを特徴とした前記記載のりんや、空気の圧力を用いてりん本体を浮遊させることを特徴とした前期記載のりんとすることで、課題を解決するものである。
【０００６】
りん本体にバランサーを用いたことを特徴としたこれら発明のりんにすると、揺らぎがうまく制御できるため便利である。参考図のように中央部、垂直方向に用いると便利で、バランスがとりやすい。
【０００７】
また、位置センサーを用いて浮遊位置を制御することを特徴とする本発明りんであると、例えば電磁石や、空気の圧力をコントロールして、一定の位置に静止するようにするのに便利である。例えば、バランサーの端部に位置センサーを用いて、浮遊に用いる電磁石を制御してもよい、
【０００８】
参考図１のように磁力リング１と磁力リング２により反発力を生じせしめたことを特徴とした本発明のりんは、リング中央部にバランサーなどを挿入して、安定に浮遊させることが可能である。磁力リングは電磁石であっても、永久磁石などであってもよい。例えば、バランサー端部に紐やゴムなどを固定台と繋げて、ひも付き風船のように浮上させてもよい。
【０００９】
磁力リング２より小なる磁力リング１を用いると、安定して、磁力リング２の内側に磁力リング１がうまくはまり込んで、安定浮上に役立つ。
【００１０】
バランサーとりん本体からなる重心の位置が浮遊位置付近であることを特徴した本発明であると、りん棒などで、打鈴するとバランスよく、揺れるので、感じよく叩くことができる。
【発明の効果】
【００１１】
本発明で請求項１の発明によれば、浮遊することで、りんが鳴るときの振動の減衰を著しく少なくすることができる。そのため、長く余韻のあるりんが、可能である。請求項２の磁力を用いたことを特徴とする発明は、磁力の反発力など利用でき、効率的に浮遊させることができる。
【００１２】
請求項３による空気の圧力を用いてりん本体を浮遊させることを特徴とすると前記発明と同等の効果が得られると同時に空気を下部から送風するので、空気清浄機などと併用が可能である。
【００１３】
請求項4によるりん本体バランサーを用いたことを特徴としたこれら発明のりんにすると、揺らぎがうまく制御できるため便利である。参考図のように中央部、垂直方向に用いると便利で、バランスがとりやすい。
【００１４】
本発明で請求項５の発明によれば、位置センサーを用いて浮遊位置を制御することを特徴とする本発明りんであると、例えば電磁石や、空気の圧力をコントロールして、一定の位置に静止するようにするのに便利である。例えば、バランサーの端部に位置センサーを用いて、浮遊に用いる電磁石を制御してもよいし、あるいは、バランサー端部を磁力により制御してもよい。
【００１５】
請求項６に記載の特徴である、磁力リング１と磁力リング２により反発力を生じせしめたことを特徴とする本発明は、反発力をうまく利用できるため、便利である。
【００１６】
請求項７に記載のある磁力リング２より小なる磁力リング１を用いると、安定して、磁力リング２の内側に磁力リング１がうまくはまり込んで、安定浮上に役立つ。
【００１７】
請求項８に記載のあるバランサーとりん本体からなる重心の位置が浮遊位置付近であることを特徴した本発明であると、りん棒などで、打鈴するとバランスよく、揺れるので、感じよく叩くことができる。
【図面の簡単な説明】
【００１８】
【図１】本発明の実施形態を示す説明図である。
【図２】本発明の実施形態を示す説明図である。
【発明を実施するための形態】
【００１９】
本発明の鈴の具体的な形態について、図１の説明図に基づいて説明する。素材としては、りん本体（１）に真鍮などの銅合金製金属を用いると音の減衰が少なくてよい。
【００２０】
バランサー（２）は金属が適切であるが、木やプラスチックなどの軽量素材でもかまわない。バランサー（２）の端部（２−１）は金属などがバランスがとりやすく便利である。鉄などの磁性体を用いて、位置センサーでその部分を制御すると、バランス的に制御しやすい。
磁力リング１（３）はりん本体（１）と連結され、磁力リング２（４）は固定支持台（５）と連結されており、磁力によって、りん本体（１）が浮遊するものである。
【００２１】
磁力リング１（３）は電磁石であっても、永久磁石のような磁性体であってもかまわない。また、磁力リング１（３）は極端なことを言えば、リングでなくても、うまく、磁力リング２（４）と安定していればよく、丸い板状のものであってもよい。特に形に限定はない。
磁力リング２（４）も同様に電磁石であっても永久磁石のような磁性体であってもよい。この場合は、磁力リング１（３）と磁力リング２（４）との反発力とバランサー（２）で導かれる方向での重量バランスで、浮遊する。
場合によっては、バランサー（２）の端部（２−１）に糸やゴムなどのひも（６）を下部固定台（５）に接続して、図２の説明図のように、ひも付きの風船のように浮遊させてもよい。
【００２２】
図示していないが、位置センサーを用いた場合の実施例では、電気により緻密にコントロールを行い、負帰還制御などで、ドリフトしないように工夫をするとよい。
以上の特徴のりんを葬祭用具仏りんとして、もちいると、宗教的な神秘性がましてよい。
【符号の説明】
【００２３】
１      りん本体
２      バランサー
２−１  端部
３      磁力リング１
４      磁力リング２
５      固定台
６      ひも
【図１】
2014147852.tif 000003
【図２】
2014147852.tif 000004